(57)【特許請求の範囲】
【請求項１】
像担持体にトナー像を形成する画像形成部と、
一対の転写ローラーを有し、前記画像形成部により形成された前記トナー像を連続紙に転写する転写部と、
加熱ローラーと該加熱ローラーに対向して配置される定着ローラーを有し、前記転写部により前記トナー像が転写された前記連続紙に定着処理を行う定着部と、
前記連続紙に付与するテンションを調整するテンション調整部と、
ジョブの開始に伴い、前記一対の転写ローラーを圧着する前であり、かつ前記加熱ローラーと前記定着ローラーを圧着する前から前記一対の転写ローラーの圧着による前記連続紙の蛇行が収束するまで第１のテンションを前記連続紙に付与し、前記画像形成部により前記像担持体にトナー像を形成する前に前記第１のテンションよりも小さい第２のテンションを前記連続紙に付与するよう前記テンション調整部を制御する制御部と、
を備えることを特徴とする画像形成装置。
【請求項２】
像担持体にトナー像を形成する画像形成部と、
一対の転写ローラーを有し、前記画像形成部により形成された前記トナー像を連続紙に転写する転写部と、
加熱ローラーと該加熱ローラーに対向して配置される定着ローラーを有し、前記転写部により前記トナー像が転写された前記連続紙に定着処理を行う定着部と、
前記連続紙に付与するテンションを調整するテンション調整部と、
ジョブの開始に伴い、前記一対の転写ローラーを圧着する前であり、かつ前記加熱ローラーと前記定着ローラーを圧着する前から前記加熱ローラーと前記定着ローラーの圧着による前記連続紙の蛇行が収束するまで第１のテンションを前記連続紙に付与し、
前記画像形成部により前記像担持体にトナー像を形成する前に前記第１のテンションよりも小さい第２のテンションを前記連続紙に付与し、
かつ前記加熱ローラーと前記定着ローラーの圧着後であって前記一対の転写ローラーの圧着前に、前記第１のテンションと第２のテンションとの間の大きさの第３のテンションを前記連続紙に付与するよう前記テンション調整部を制御する制御部と、
を備えることを特徴とする画像形成装置。
【請求項３】
前記テンション調整部は、
搬送される前記連続紙に接触するローラーと、
前記ローラーを移動させて当該ローラーに対する前記連続紙の巻かけ量を調整する移動部と、
を有することを特徴とする請求項１または２に記載の画像形成装置。
【発明の詳細な説明】
【技術分野】
【０００１】
本発明は、画像形成装置に関する。
【背景技術】
【０００２】
従来から、記録媒体としてロール紙などの連続紙を使用した画像形成システムが利用されている。この画像形成システムでは、給紙装置から連続紙を画像形成装置に通紙し、画像形成装置において連続紙に所定の画像を印刷して定着処理を施し、その後、画像が形成された連続紙を排紙装置で巻き取る、という一連の工程により画像形成処理を行っている。
【０００３】
ここで、画像形成装置では、ジョブの開始に伴い、定着部や２次転写部を圧着状態とするが、これら定着部等の圧着によりロール紙に対する搬送圧等が変化することで搬送方向（アライメント）が変動し、搬送中のロール紙が蛇行してしまう場合があった。
【０００４】
従来では、ロール紙に生じた蛇行は時間経過によって収束するため、ロール紙での蛇行の収束を待ってから画像の書き込み処理を開始していた。しかしながら、このような場合、ロール紙の蛇行が収束するまで、ロール紙を搬送しなければならないので、搬送した分のロール紙がヤレ紙（ムダ紙）となってしまうという問題があった。
【０００５】
そこで、用紙の蛇行の問題を解決するための技術が種々提案されている。例えば、特許文献１には、ラベル用紙を所定区間案内するガイド板および先端部がラベル用紙に係合する押圧片を供給経路中に配置し、ラベル用紙が移送されていない場合にラベル用紙をガイド板に弾性的に押圧するラベルプリンタのラベルガイド装置が開示されている。特許文献２には、テンションローラーを中間転写ベルトの張力が増大する方向へ付勢するとともに、片寄り伝達部材の軸方向に沿った移動量に応じてテンションローラーの両端部に付加する付勢力を増減する蛇行補正機構部を備えた画像形成装置が開示されている。
【先行技術文献】
【特許文献】
【０００６】
【特許文献１】特開第３４８９４８５号公報
【特許文献２】特開２０１３−１４２７３７号公報
【発明の概要】
【発明が解決しようとする課題】
【０００７】
しかしながら、上記特許文献１および２等に開示される画像形成装置等では、以下に示すような問題がある。すなわち、特許文献１では、ラベル用紙の移送を停止している場合の用紙に対する押圧制御であるため、ロール紙の搬送中に発生する蛇行については防止することができないという問題がある。
【０００８】
また、特許文献２では、テンションローラーの張力を増大させることで、用紙の蛇行を抑制することはできるが、画像形成装置の２次転写部が以下のような構成である場合には対応することができないという問題がある。図６は、２次転写部６００の構成を示している。２次転写部６００は、一対の転写ローラー６１０，６２０を有している。転写ローラー６１０は、転写ローラー６２０に対して圧着および離間可能に構成されている。ジョブが開始されると、転写ローラー６１０が転写ローラー６２０を押圧して圧着した状態とされる。ロール紙Ｐは、一定のテンションで引っ張られ、転写ローラー６１０に巻き掛けられる。そのため、ロール紙Ｐの蛇行を回避するためにテンションを上げると、２次転写部６００の転写ローラー６１０において押し戻しが発生して巻き掛けを維持できず、転写不良（はじき）が発生してしまうという問題があった。
【０００９】
そこで、本発明は、上記課題に鑑みてなされたものであり、その目的は、連続紙の蛇行を抑制すると共に、転写部での転写不良の発生を防止した画像形成装置を提供することにある。
【課題を解決するための手段】
【００１０】
本発明に係る画像形成装置は、像担持体にトナー像を形成する画像形成部と、一対の転写ローラーを有し、前記画像形成部により形成された前記トナー像を連続紙に転写する転写部と、加熱ローラーと該加熱ローラーに対向して配置される定着ローラーを有し、前記転写部により前記トナー像が転写された前記連続紙に定着処理を行う定着部と、前記連続紙に付与するテンションを調整するテンション調整部と、ジョブの開始に伴い、前記一対の転写ローラーを圧着する前であり、かつ前記加熱ローラーと前記定着ローラーを圧着する前から前記一対の転写ローラーの圧着による前記連続紙の蛇行が収束するまで第１のテンションを前記連続紙に付与し、前記画像形成部により前記像担持体にトナー像を形成する前に前記第１のテンションよりも小さい第２のテンションを前記連続紙に付与するよう前記テンション調整部を制御する制御部と、を備えるものである。
また、本発明に係る画像形成装置は、像担持体にトナー像を形成する画像形成部と、一対の転写ローラーを有し、前記画像形成部により形成された前記トナー像を連続紙に転写する転写部と、加熱ローラーと該加熱ローラーに対向して配置される定着ローラーを有し、前記転写部により前記トナー像が転写された前記連続紙に定着処理を行う定着部と、前記連続紙に付与するテンションを調整するテンション調整部と、ジョブの開始に伴い、前記一対の転写ローラーを圧着する前であり、かつ前記加熱ローラーと前記定着ローラーを圧着する前から前記加熱ローラーと前記定着ローラーの圧着による前記連続紙の蛇行が収束するまで第１のテンションを前記連続紙に付与し、前記画像形成部により前記像担持体にトナー像を形成する前に前記第１のテンションよりも小さい第２のテンションを前記連続紙に付与し、かつ前記加熱ローラーと前記定着ローラーの圧着後であって前記一対の転写ローラーの圧着前に、前記第１のテンションと第２のテンションとの間の大きさの第３のテンションを前記連続紙に付与するよう前記テンション調整部を制御する制御部と、を備えるものである。
【発明の効果】
【００１１】
本発明によれば、転写部および定着部の少なくとも一方を圧着する前に第１のテンションを連続紙に付与するので、連続紙の蛇行を抑制することができる。また、画像形成部により像担持体にトナー像を形成する前に第２のテンションを連続紙に付与するので、転写不良の発生を回避することができる。
【図面の簡単な説明】
【００１２】
【図１】本発明の一実施の形態に係る画像形成システムの構成例を示す図である。
【図２】テンション調整部の動作例を示す図である。
【図３】画像形成システムの機能構成例を示すブロック図である。
【図４】ロール紙に付与するテンションの推移およびテンションの推移に応じたロール紙の蛇行の推移を示す図である。
【図５】第２の実施例における画像形成装置の動作例を示すフローチャートである。
【図６】２次転写部の構成例を示す図である。
【発明を実施するための形態】
【００１３】
以下に添付図面を参照しながら、本開示の好適な実施の形態について詳細に説明する。なお、図面の寸法比率は、説明の都合上拡張されており、実際の比率とは異なる場合がある。
【００１４】
［画像形成システム１００の構成例］  
図１は、本発明の一実施の形態に係る画像形成システム１００の概略構成の一例を示している。図１に示すように、画像形成システム１００は、ロール紙Ｐ等の連続紙に所定の画像を形成するものであり、給紙装置２００と画像形成装置３００と排紙装置４００とを備えている。
【００１５】
給紙装置２００は、画像形成装置３００よりも用紙搬送方向Ｄの上流側に配置され、装着部２１０を有している。装着部２１０は、軸や駆動モータ等を含み、巻回されたロール紙Ｐを装着できるように構成されている。給紙装置２００は、ジョブ開始の指示に基づいて、装着部２１０からロール紙Ｐを送り出して複数の搬送ローラーを経由させて画像形成装置３００にロール紙Ｐを給紙する。なお、連続紙としては、必ずしもロール状に保持されたものである必要はなく、折り畳まれたものでも良い。また、複数枚の長尺状の連続紙を用いても良い。
【００１６】
画像形成装置３００は、タンデム方式のカラー電子写真複写機である。画像形成装置３００は、テンション調整部３９０と、給紙搬送部３１０と、画像形成部３２０と、感光体３２２と、中間転写ベルト３２４と、２次転写部３３０と、定着部３４０と、排紙搬送部３５０と、操作表示部３６０とを有している。
【００１７】
テンション調整部３９０は、例えばユニットとして構成され、画像形成部３２０よりも用紙搬送方向Ｄの上流側に配置され、画像形成装置本体３０２の搬入口側の側面部に着脱可能に取り付けられている。テンション調整部３９０は、固定ローラー３９２と、移動部３９８と、従動ローラー３９４，３９６とを有している。固定ローラー３９２および従動ローラー３９４，３９６は、上下方向に互いにずれて配置され、搬送されるロール紙Ｐに対して一定のテンションを付与できるようになっている。移動部３９８は、例えば駆動モータ等から構成され、固定ローラー３９２に接続されている。移動部３９８は、ロール紙Ｐに付与するテンションの大きさに応じて固定ローラー３９２を所定の位置に移動させることで、固定ローラー３９２のロール紙Ｐに対する巻かけ量を調整する。なお、テンション調整部３９０は、画像形成装置３００に内蔵して構成することもできるし、独立したテンション調整装置として構成することもできる。
【００１８】
給紙搬送部３１０は、例えば、複数の搬送ローラーと、これらを回転駆動する駆動モータ等から構成されている。給紙搬送部３１０は、駆動モータの駆動により複数の搬送ローラーを回転させることで、給紙装置２００からテンション調整部３９０を経由して搬送されるロール紙Ｐを画像形成部３２０に給送する。
【００１９】
画像形成部３２０は、イエローの画像形成ユニット３２０Ｙと、マゼンダの画像形成ユニット３２０Ｍと、シアンの画像形成ユニット３２０Ｃと、ブラックの画像形成ユニット３２０Ｋとを有している。なお、画像形成ユニット３２０Ｙ，３２０Ｍ，３２０Ｃ，３２０Ｋは、帯電部、露光部、現像部等を有しているが、公知の技術を採用することができるため、詳細な説明については省略する。
【００２０】
感光体３２２は、イエローの感光体ドラム３２２Ｙと、マゼンダの感光体ドラム３２２Ｍと、シアンの感光体ドラム３２２Ｃと、ブラックの感光体ドラム３２２Ｋとを有している。各感光体ドラム３２２Ｙ，３２２Ｍ，３２２Ｃ，３２２Ｋには、対応した画像形成ユニット３２０Ｙ，３２０Ｍ，３２０Ｃ，３２０Ｋにより各色の画像が書き込まれる。各感光体ドラム３２２Ｙ，３２２Ｍ，３２２Ｃ，３２２Ｋに形成された各色のトナー像は、中間転写ベルト３２４の画像形成位置に重ね合わせて転写される。
【００２１】
２次転写部３３０は、圧着および離間可能に構成された一対の転写ローラー３３２，３３４を有している。２次転写部３３０では、中間転写ベルト３２４上に形成された各色のトナー像が、給紙搬送部３１０により搬送されるロール紙Ｐの表面に転写される。
【００２２】
定着部３４０は、例えば加熱源を内蔵する加熱ローラー３４２と、これに対向して配置される定着ローラー３４４とを有している。定着部３４０は、２次転写部３３０によりトナー像が転写されたロール紙Ｐを挟持した状態で加熱、加圧処理を行うことによりトナー像をロール紙Ｐの表面に定着させる。なお、定着部３４０は、本例の構成に限定されることはなく、定着ベルト等を用いた構成であっても良い。
【００２３】
排紙搬送部３５０は、例えば、複数の搬送ローラーと、これらを回転駆動する駆動モータ等から構成されている。排紙搬送部３５０は、駆動モータの駆動により複数の搬送ローラーを回転させることで定着部３４０で定着処理されたロール紙Ｐを後段の排紙装置４００に搬送する。
【００２４】
操作表示部３６０は、表示部と入力部とが組み合わされたタッチパネルと、タッチパネルの周辺部に設けられたスタートキーや決定キーから構成される操作キーとを有している。操作表示部３６０は、操作画面等を表示したり、操作画面等でのタッチ操作や操作キーの操作により入力された画像形成条件等の各種情報を受け付けたりする。
【００２５】
排紙装置４００は、画像形成装置３００よりも用紙搬送方向Ｄの下流側に配置され、巻取部４１０を有している。巻取部４１０は、例えば軸や駆動モータ等を含み、画像形成装置３００から排出されたロール紙Ｐを巻き取る。
【００２６】
［テンション調整部３９０の動作例］  
図２Ａは、ロール紙Ｐの搬送開始時にロール紙Ｐに付与するテンションを説明するための図である。ロール紙Ｐの搬送開始時には、搬送時に発生するロール紙Ｐの蛇行や定着部３４０の圧着時に発生するロール紙Ｐの蛇行を抑制するために、ロール紙Ｐに対して大きなテンションを付与することが好ましい。そのため、この場合には、図２Ａに示すように、固定ローラー３９２に対するロール紙Ｐの巻かけ量が大きくなる、つまり、固定ローラー３９２の表面とロール紙Ｐとの接触面積が大きくなる第１の位置Ｐ１に固定ローラー３９２が配置される。本例では、このときのテンションをテンションＴａという。
【００２７】
図２Ｂは、定着部３４０の圧着後であって２次転写部３３０の圧着前にロール紙Ｐに付与するテンションを説明するための図である。２次転写部３３０の圧着時では、定着部３４０の圧着時よりもニップ圧が小さくなるため、これに応じてロール紙Ｐの端部位置（安定位置）も変動する。なお、本例において、ロール紙Ｐの端部位置とは、用紙搬送方向Ｄに直交する方向における端部をいう。ロール紙Ｐの蛇行を早く収束させるためには、ロール紙Ｐの端部位置を上述した変動後のロール紙Ｐの端部位置に近づけることが好ましい。そのため、この場合には、図２Ｂに示すように、固定ローラー３９２に対するロール紙Ｐの巻かけ量が第１の位置Ｐ１のときの巻かけ量よりも小さくなる第２の位置Ｐ２に固定ローラー３９２が配置される。これにより、テンションＴａよりも小さいテンションＴｂをロール紙Ｐに付与することができ、ロール紙Ｐの端部位置を２次転写部３３０の圧着後のロール紙Ｐの安定位置に近づけることができる。
【００２８】
なお、テンションＴｂは、テンションＴａよりも小さいため、２次転写部３３０の圧着時に生じるロール紙Ｐの蛇行を効果的に抑制することができないことも想定される。しかし、２次転写部３３０のニップ圧は定着部３４０のニップ圧よりも弱く、ロール紙Ｐに生じる蛇行も小さくなるため、テンションＴａほどのテンションがなくても、テンションＴｂにより２次転写部３３０で生じるロール紙Ｐの蛇行を十分に抑制できる。
【００２９】
図２Ｃは、２次転写部３３０の圧着後であって感光体ドラム３２２への画像の書き込み前にロール紙Ｐに付与するテンションを説明するための図である。２次転写部３３０の圧着後であって感光体ドラム３２２への画像の書き込み前には、２次転写部３３０の圧着時における転写ローラー３３２の押し戻しを確実に防止する必要があるため、ロール紙Ｐに付与するテンションを小さくする。そのため、この場合には、図２Ｃに示すように、固定ローラー３９２に対するロール紙Ｐの巻かけ量が第２の位置Ｐ２のときの巻かけ量よりも小さくなる第３の位置Ｐ３に固定ローラー３９２が配置される。これにより、ロール紙Ｐに対してテンションＴｂよりも小さいテンションを付与することができる。本例では、このときのテンションをテンションＴｃという。
【００３０】
［画像形成システム１００のブロック構成例］  
図３は、画像形成システム１００の機能構成の一例を示すブロック図である。図３に示すように、画像形成システム１００は、装置全体の動作を制御するための制御部５０を備えている。制御部５０は、ＣＰＵ(Central Processing Unit)５２と、ＲＯＭ(Read Only Memory)５４と、ＲＡＭ(Random Access Memory)５６とを有している。ＣＰＵ５２は、ＲＯＭ５４から読み出したソフトウェア（プログラム）をＲＡＭ５６に展開して実行することにより、画像形成システム１００の各部を制御し、ロール紙Ｐに付与するテンションの調整動作等に関連する機能を実現する。
【００３１】
制御部５０には、操作表示部３６０と、画像形成部３２０と、２次転写部３３０と、定着部３４０と、テンション調整部３９０と、通信部３７０とがそれぞれ接続されている。テンション調整部３９０は、制御部５０の指示に基づいて、定着部３４０等の圧着タイミングに応じてロール紙Ｐに付与するテンションを調整する。その他の操作表示部３６０等の構成部についても、同様に、制御部５０によって各動作が制御される。
【００３２】
また、制御部５０には、ＬＡＮ等のネットワークを介してコンピュータ５００が接続されている。コンピュータ５００は、操作部や表示部、演算部等を有しており、ユーザーにより入力されたジョブを画像形成システム１００の通信部３７０に送信する。通信部３７０は、通信インタフェースを備え、制御部５０とコンピュータ５００との間で画像形成に関するデータの双方向通信を行う。
【００３３】
［画像形成システム１００の動作例］  
図４Ａは、従来例、本発明の第１の実施例および第２の実施例に係る画像形成時のロール紙Ｐに付与するテンションの推移を示している。図４Ａにおいて、縦軸はテンションであり、横軸は時間である。図４Ｂは、図４Ａのテンションを搬送中のロール紙Ｐに付与した際におけるロール紙Ｐの端部位置の推移を示している。図４Ｂにおいて、縦軸はロール紙の端部位置であり、横軸は時間である。なお、従来例、第１の実施例および第２の実施例では、図２Ａ〜図２Ｃで説明したテンションＴａ〜Ｔｃをロール紙Ｐに付与している。また、図４Ａおよび図４Ｂのグラフでは、各実施例間においてテンションおよび端部位置の値が同一となる場合、便宜上ずらして図示している。
【００３４】
（従来例）  
まず、従来例について説明する。従来例では、画像形成時においてロール紙Ｐに一定のテンションＴｃを常時付与する。
【００３５】
時間ｔ１において、ジョブの開始に伴い、ロール紙Ｐの搬送が開始される。ロール紙Ｐの搬送が開始されると、例えば用紙セット時の装着位置のずれ等に起因してロール紙Ｐが蛇行する（図４Ｂ）。
【００３６】
時間ｔ３において、制御部５０は、ロール紙Ｐの搬送開始から所定時間経過してロール紙Ｐの蛇行が収束すると（図４Ｂ）、定着部３４０を圧着させる（図４Ａ）。定着部３４０が圧着されると、圧着時の搬送圧の変化によりロール紙Ｐが再び蛇行する（図４Ｂ）。
【００３７】
時間ｔ１０において、制御部５０は、定着部３４０の圧着によるロール紙Ｐの蛇行が収束すると（図４Ｂ）、２次転写部３３０を圧着させる。２次転写部３３０が圧着されると、圧着時の搬送圧の変化によりロール紙Ｐが再び蛇行する（図４Ｂ）。
【００３８】
時間ｔ１１において、制御部５０は、２次転写部３３０の圧着によるロール紙Ｐの蛇行が収束すると（図４Ｂ）、画像形成部３２０を制御して感光体ドラム３２２への画像の書き込みを開始させる（図４Ａ）。
【００３９】
（第１の実施例）  
次に、第１の実施例について説明する。第１の実施例では、画像形成時においてロール紙ＰにテンションＴａ，Ｔｃを段階的に付与する。
【００４０】
時間ｔ１において、ジョブの開始に伴い、ロール紙Ｐの搬送が開始される。このとき、制御部５０は、テンション調整部３９０を制御してロール紙Ｐに対してテンションＴａを付与する。ロール紙Ｐの搬送が開始されると、例えば用紙セット時の装着位置のずれ等に起因してロール紙Ｐが蛇行する（図４Ｂ）。これに対し、第１の実施例では、ロール紙Ｐに対して従来例のテンションＴｃよりも大きいテンションＴａを付与しているため、従来例よりもロール紙Ｐの蛇行の幅（オーバーシュート）を小さくできると共にロール紙Ｐの蛇行を早い時間で収束させることができる。
【００４１】
時間ｔ２において、制御部５０は、ロール紙Ｐの搬送開始から所定時間経過してロール紙Ｐの蛇行が収束すると（図４Ｂ）、定着部３４０を圧着させる（図４Ａ）。定着部３４０が圧着されると、圧着時の搬送圧の変化によりロール紙Ｐが再び蛇行する（図４Ｂ）。
【００４２】
時間ｔ５において、制御部５０は、定着部３４０の圧着によるロール紙Ｐの蛇行が収束すると（図４Ｂ）、２次転写部３３０を圧着させる。２次転写部３３０が圧着されると、圧着時の搬送圧の変化によりロール紙Ｐに再び蛇行が発生する（図４Ｂ）。これに対し、第１の実施例では、ロール紙ＰにテンションＴａを付与しているので、従来例よりもロール紙Ｐの蛇行の幅を小さくできると共にロール紙Ｐの蛇行を早い時間で収束させることができる（図４Ｂ）。
【００４３】
時間ｔ７において、制御部５０は、２次転写部３３０の圧着によるロール紙Ｐの蛇行が収束すると（図４Ｂ）、テンション調整部３９０を制御してロール紙Ｐに対して付与するテンションをテンションＴａからテンションＴｃに下げる（図４Ａ）。つまり、画像形成部３２０による感光体ドラム３２２への書き込みを開始する前に、ロール紙Ｐに付与するテンションをテンションＴｃに下げる。これにより、２次転写部３３０の転写ローラー３３２でのロール紙Ｐによる押し戻しを防止できると共にロール紙Ｐの転写ローラー３３２に対する一定の巻かけ量を確保できる。
【００４４】
時間ｔ９において、制御部５０は、画像形成部３２０を制御して感光体ドラム３２２への画像の書き込みを開始させる（図４Ａ）。第１の実施例によれば、画像の書き込みタイミングを早くできる。具体的には、画像の書き込み開始時間を、従来例の時間ｔ１１から時間ｔ９に短縮できる。これにより、ロール紙Ｐのヤレ紙も抑制できる。
【００４５】
（第２の実施例）  
次に、第２の実施例について説明する。第２の実施例では、画像形成時においてロール紙ＰにテンションＴａ，Ｔｂ，Ｔｃを段階的に付与する。
【００４６】
時間ｔ１において、ジョブの開始に伴い、ロール紙Ｐの搬送が開始される。このとき、制御部５０は、テンション調整部３９０を制御してロール紙Ｐに対してテンションＴａを付与する。ロール紙Ｐの搬送が開始されると、例えば用紙セット時の装着位置のずれ等に起因してロール紙Ｐが蛇行する（図４Ｂ）。これに対し、第２の実施例では、ロール紙Ｐに対して従来例のテンションＴｃよりも大きいテンションＴａを付与しているため、従来例よりもロール紙Ｐの蛇行の幅を小さくできると共にロール紙Ｐの蛇行を速い時間で収束できる。
【００４７】
時間ｔ２において、制御部５０は、ロール紙Ｐの搬送開始から所定時間経過してロール紙Ｐの蛇行が収束すると（図４Ｂ）、定着部３４０を圧着させる（図４Ａ）。定着部３４０が圧着されると、圧着時の搬送圧の変化によりロール紙Ｐが再び蛇行する（図４Ｂ）。
【００４８】
時間ｔ４において、制御部５０は、定着部３４０の圧着によるロール紙Ｐの蛇行が収束すると（図４Ｂ）、テンション調整部３９０を制御してロール紙Ｐに対して付与するテンションをテンションＴａからテンションＴｂに下げる（図４Ａ）。これにより、ロール紙Ｐの端部位置Ｅ２を、第１の実施例におけるロール紙Ｐの端部位置Ｅ１よりも、２次転写部３３０の圧着後におけるロール紙Ｐの端部位置Ｅ３に近づけることができる（図４Ｂ）。
【００４９】
時間ｔ５において、制御部５０は、テンションの調整が終了すると、２次転写部３３０を圧着させる。２次転写部３３０が圧着されると、圧着時の搬送圧の変化によりロール紙Ｐが再び蛇行する（図４Ｂ）。これに対し、第２の実施例では、ロール紙Ｐの端部位置Ｅ２を予め２次転写部３３０の圧着後のロール紙Ｐの端部位置Ｅ３に近づけているので、第１の実施例よりもロール紙Ｐの蛇行の幅を小さくできると共にロール紙Ｐの蛇行を早い時間で収束させることができる（図４Ｂ）。
【００５０】
時間ｔ６において、制御部５０は、２次転写部３３０の圧着によるロール紙Ｐの蛇行が収束すると、テンション調整部３９０を制御してロール紙Ｐに付与するテンションをテンションＴｂからテンションＴｃに下げる（図４Ａ）。つまり、画像形成部３２０による感光体ドラム３２２への画像の書き込みを開始する前に、ロール紙Ｐに付与するテンションをテンションＴｃに下げる。これにより、２次転写部３３０の転写ローラー３３２でのロール紙Ｐによる押し戻しを防止できると共にロール紙Ｐの転写ローラー３３２に対する一定の巻かけ量を確保できる。
【００５１】
時間ｔ８において、制御部５０は、画像形成部３２０を制御して感光体ドラム３２２への画像の書き込みを開始させる（図４Ａ）。第２の実施例によれば、従来例および第１の実施例と比べて、画像の書き込みタイミングを早くできる。具体的には、画像の書き込み開始時間を、従来例の時間ｔ１１から時間ｔ８に短縮でき、第１の実施例の時間ｔ９から時間ｔ８に短縮できる。これにより、ロール紙Ｐのヤレ紙も抑制できる。
【００５２】
なお、上述した従来例、第１の実施例および第２の実施例において、ロール紙Ｐの蛇行が収束したか否かは、ラインセンサによるロール紙Ｐの端部位置の検知結果に基づいて判断しても良いし、定着部３４０や２次転写部３３０の圧着時から一定時間経過したか否かに基づいて判断しても良い。
【００５３】
［画像形成システム１００の動作例］  
図５は、本発明の第２の実施例に係る画像形成システム１００の動作の一例を示すフローチャートである。制御部５０のＣＰＵ５２は、ＲＯＭ５４から読み出したプログラムを実行することにより、図５のフローチャートに示す処理を実現する。
【００５４】
図５に示すように、制御部５０は、コンピュータ５００から送信されるジョブ情報に基づいてジョブを開始する（Ｓ１００）。制御部５０は、テンション調整部３９０を制御してロール紙ＰにテンションＴａを付与しつつ、給紙装置２００からのロール紙Ｐの搬送を開始させる。次に、制御部５０は、定着部３４０を圧着状態とした後（Ｓ１１０）、テンション調整部３９０を制御してロール紙Ｐに付与するテンションをテンションＴａからテンションＴｂに下げる（Ｓ１２０）。
【００５５】
続けて、制御部５０は、２次転写部３３０を圧着状態とし（Ｓ１３０）、その後、テンション調整部３９０を制御してロール紙Ｐに付与するテンションをテンションＴｂからテンションＴｃに下げる（Ｓ１４０）。制御部５０は、ロール紙ＰのテンションがテンションＴｃに下がったら、画像形成部３２０を制御して感光体ドラム３２２への画像の書き込みを開始させる（Ｓ１５０）。
【００５６】
以上説明したように、本実施の形態によれば、２次転写部３３０を圧着する前にロール紙Ｐに付与するテンションをテンションＴｃに下げて設定するので、２次転写部３３０の転写ローラー３３２でのロール紙Ｐによる押し戻しを防止することができる。これにより、２次転写部３３０での転写不良の発生を回避することができる。また、本実施の形態によれば、定着部３４０および２次転写部３３０の圧着時において、ロール紙Ｐに対して大きいテンションＴａを付与するので、ロール紙Ｐの蛇行を確実に抑制することができる。これらにより、ロール紙Ｐのヤレ紙の発生を抑制することができる。
【００５７】
なお、本発明の技術範囲は、上述した実施形態に限定されるものではなく、本発明の趣旨を逸脱しない範囲において、上述した実施形態に種々の変更を加えたものを含む。例えば、テンション調整部３９０は、上述した例に限定されることはなく、例えばダンサロール等の公知のテンション付与手段を用いることもできる。
【符号の説明】
【００５８】
３２０  画像形成部
３２２  感光体（像担持体）
３２２Ｙ，３２２Ｍ，３２２Ｃ，３２２Ｋ  感光体ドラム
３２４  中間転写ベルト（像担持体）
３３０  ２次転写部（転写部）
３４０  定着部
３９０  テンション調整部
３９２  固定ローラー（搬送ローラー）
３９８  移動部
Ｐ  ロール紙（連続紙）
Ｔａ  テンション（第１のテンション）
Ｔｂ  テンション（第３のテンション）
Ｔｃ  テンション（第２のテンション）
【図１】
0006524804.tif 000002
【図２】
0006524804.tif 000003
【図３】
0006524804.tif 000004
【図４】
0006524804.tif 000005
【図５】
0006524804.tif 000006
【図６】
0006524804.tif 000007